【手続補正書】
【提出日】平成19年10月26日(2007.10.26)
【手続補正１】
【補正対象書類名】明細書
【補正対象項目名】特許請求の範囲
【補正方法】変更
【補正の内容】
【特許請求の範囲】
【請求項１】
装置本体に取り付けられたステップモータにより遮光部材を開放状態と全閉状態との間で駆動して光量を調節する光量調節装置において、
前記ステップモータは、前記装置本体に対し、このステップモータのロータ回転中心回りでの取付け位置調節が可能であることを特徴とする光量調節装置。
【請求項２】
前記ステップモータの取付け位置調節により、前記遮光部材の停止位置を調節可能としたことを特徴とする請求項１に記載の光量調節装置。
【請求項３】
ステップモータにより遮光部材を開放状態と全閉状態との間で駆動して光量を調節する光量調節装置において、
前記ステップモータのマグネットロータにアーム部材が取り付けられ、このアーム部材に前記遮光部材が連結されており、
前記アーム部材は、前記マグネットロータに対し、前記マグネットロータの回転中心回りでの取付け位置調節が可能であることを特徴とする光量調節装置。
【請求項４】
前記アーム部材の取付け位置調節により、前記遮光部材の停止位置を調節可能としたことを特徴とする請求項３に記載の光量調節装置。
【請求項５】
ステップモータにより遮光部材を開放状態と全閉状態との間で駆動して光量を調節する光量調節装置において、
前記ステップモータは、前記遮光部材に連結され、周方向で複数に着磁されたマグネットロータと、このマグネットロータを駆動するための複数相のコイルを有しており、
前記複数相のコイルのうち少なくとも１相のコイルへの通電を行う通電回路の抵抗値を調節可能としたことを特徴とする光量調節装置。
【請求項６】
前記少なくとも１相のコイルの通電回路に可変抵抗を設けたことを特徴とする請求項５に記載の光量調節装置。
【請求項７】
前記抵抗値の調節により、前記ステップモータに発生する複数相における磁界の強度関係を変化させて前記遮光部材の停止位置を調節可能としたことを特徴とする請求項５又は６に記載の光量調節装置。
【請求項８】
請求項１から７のいずれかに記載の光量調節装置を備えたことを特徴とする撮影装置。
【手続補正２】
【補正対象書類名】明細書
【補正対象項目名】０００１
【補正方法】変更
【補正の内容】
【０００１】
【発明の属する技術分野】
本発明は、銀塩カメラ、ビデオカメラ、デジタルスチルカメラ等の撮影装置に用いられる光量調節装置に関するものである。
【手続補正３】
【補正対象書類名】明細書
【補正対象項目名】０００８
【補正方法】変更
【補正の内容】
【０００８】
風車５には、後述する６枚の羽根６に形成された長穴６ｂと嵌合する６箇所の羽根駆動ピン５ａ，５ｂ，５ｃ，５ｄ，５ｅ，５ｆが設けられている。また、風車５には、アームピン３ａと嵌合する長穴５ｇが形成されている。これによりアーム部材としてのアーム３に風車５を介して遮光部材としての羽根６が連結されている。
【手続補正４】
【補正対象書類名】明細書
【補正対象項目名】００１０
【補正方法】変更
【補正の内容】
【００１０】
図４は、図３におけるアイリスベース１、ステップモータ２およびアーム３を装置裏側（図３の紙面裏側）から見た図である。図４において、アイリスベース１には、ステップモータ２の固定用ビス穴２ａに挿入されるビスを通すための固定用ビス下穴１ｊと、ステップモータ２の回転止めＵ穴２ｂが嵌合する回転止めピン１ｋとが形成されている。また、１ｌはステップモータ２の嵌合穴２ｃと嵌合する嵌合部である。また、点Ｏ’はアーム３の回転中心となる軸受けの中心である。
【手続補正５】
【補正対象書類名】明細書
【補正対象項目名】００１５
【補正方法】変更
【補正の内容】
【００１５】
次に、図６および図７を用いて実際の絞りユニットの基本動作を説明する。ここでのステップモータは、Ａ相とＢ相の２相のコイルを有し、かつ周方向に２０極に着磁されたマグネットロータを有しており、１相通電と２相通電を交互に繰り返す、所謂１−２相駆動を行うと、アーム３（マグネット）の回転角度は、９°ずつ変位する。
【手続補正６】
【補正対象書類名】明細書
【補正対象項目名】００１６
【補正方法】変更
【補正の内容】
【００１６】
図６（ａ）は、Ａ相とＢ相のコイルに印加する電流の方向をＨ（Ｈｉ）、Ｌ（Ｌｏｗ）で表わした駆動ステイタス表であり、アーム３が「メカクローズ端」から「メカオープン端」までの５４°を、９°ずつ動いたときに、Ｆナンバーが「Ｃ（クローズ）」→「ＦＣ（クローズ）」→「Ｆ８」→「Ｆ４」→「Ｆ２．８」→「Ｆ２．３」 →「Ｆ２（開放）」と変化していくことを表わしている。
【手続補正７】
【補正対象書類名】明細書
【補正対象項目名】００２２
【補正方法】変更
【補正の内容】
【００２２】
【発明が解決しようとする課題】
しかしながら、実際の光量調節装置では、各部品に含まれる様々な誤差要因（各部品の加工誤差、各部品の組付け誤差等）のために、上記説明のようにはいかず、アーム３の各停止位置（つまりは、羽根の停止位置）が設計値位置からずれてしまうことが多い。
【手続補正８】
【補正対象書類名】明細書
【補正対象項目名】００２４
【補正方法】変更
【補正の内容】
【００２４】
そこで、本発明では、簡単な構成で、良好なＦナンバー精度が得られる光量調節装置を提供することを目的としている。
【手続補正９】
【補正対象書類名】明細書
【補正対象項目名】００２５
【補正方法】変更
【補正の内容】
【００２５】
【課題を解決するための手段】
上記目的を達成するため、本願第１の発明では、装置本体に取り付けられたステップモータにより遮光部材を開放状態と全閉状態との間で駆動して光量を調節する光量調節装置において、ステップモータのロータ回転中心回りでのステップモータの装置本体に対する取付け位置調節を可能としている。
【手続補正１０】
【補正対象書類名】明細書
【補正対象項目名】００２６
【補正方法】変更
【補正の内容】
【００２６】
また、本願第２の発明では、ステップモータにより遮光部材を開閉方向に駆動して光量を調節する光量調節装置において、ステップモータのマグネットロータにアーム部材が取り付けられ、このアーム部材に遮光部材が連結されている場合に、マグネットロータの回転中心回りでのマグネットロータに対するアーム部材の取付け位置調節を可能としている。
【手続補正１１】
【補正対象書類名】明細書
【補正対象項目名】００２８
【補正方法】変更
【補正の内容】
【００２８】
また、本願第３の発明では、ステップモータにより遮光部材を開放状態と全閉状態との間で駆動して光量を調節する光量調節装置において、ステップモータが、遮光部材に連結され、周方向で複数に着磁されたマグネットロータと、このマグネットロータを駆動するための複数相のコイルを有する場合に、これら複数相のコイルのうち少なくとも１相のコイルへの通電を行う通電回路の抵抗値を調節可能としている。
【手続補正１２】
【補正対象書類名】明細書
【補正対象項目名】００２９
【補正方法】変更
【補正の内容】
【００２９】
この第３の発明により、ステップモータの各相に発生する磁界の強さ関係を変化させることができるため、マグネットロータの回転停止位置、つまりは遮光部材の停止位置を簡単に調節できるようになり、各部品に誤差要因が含まれていても良好なＦナンバー精度（特に、小絞り時のＦナンバー精度）が得られる。
【手続補正１３】
【補正対象書類名】明細書
【補正対象項目名】００３２
【補正方法】変更
【補正の内容】
【００３２】
図１において、アイリスベース１にはステップモータ２の固定用ビス穴２ａ’をビス止めするための固定用ビス下穴１ｊと、ステップモータ２の回転止めＵ穴２ｂ’が嵌合する回転止めピン１ｋと、ステップモータ２の嵌合穴２ｃと嵌合する嵌合部１ｌとが形成されている。点Ｏ’は、アーム３の回転中心（すなわち、ロータ４の回転中心）となる軸受けの中心である。
【手続補正１４】
【補正対象書類名】明細書
【補正対象項目名】００３３
【補正方法】変更
【補正の内容】
【００３３】
本実施形態では、ステップモータ２に形成した固定用ビス穴２ａ’と回転止めＵ穴２ｂ’とに調節代を持たせ、ステップモータ２のアイリスベース１に対する点Ｏ’回りでの回転位置調節（±２°の回転）（取付け位置調節）を許容している。
【手続補正１５】
【補正対象書類名】明細書
【補正対象項目名】００３９
【補正方法】変更
【補正の内容】
【００３９】
なお、本実施形態では、ステップモータ２のアイリスベース１に対する取り付角度調節を行う場合について説明したが、ステップモータ２のアイリスベース１に対する取付け角度を固定しておき、ステップモータ２の内部で、マグネットロータ４に対するアーム３のロータ回転中心回りでの取付け角度調節（取付け位置調節）を可能に構成してもよい。これにより、上記と同様の効果が得られる。
【手続補正１６】
【補正対象書類名】明細書
【補正対象項目名】００４７
【補正方法】変更
【補正の内容】
【００４７】
このように構成されるステップモータの通電回路において、Ａ相側の可変抵抗２１ｃの抵抗値Ｒ２１ｃとＢ相側の可変抵抗２３ｃの抵抗値Ｒ２３ｃとは、Ｒ２１ｃ＜Ｒ２３ｃの関係を満たすように設定されている。
【手続補正１７】
【補正対象書類名】明細書
【補正対象項目名】００４９
【補正方法】変更
【補正の内容】
【００４９】
この図２では、先に述べたように、Ｒ２１ｃ＜Ｒ２３ｃに設定してあるので、同じ電圧を印加した場合、Ａ相コイル２１に流れる電流のほうが、Ｂ相コイル２３に流れる電流より大きくなる。このため、ステータ２１ａ，２１ｂに発生する磁界のほうが、ステータ２３ａ，２３ｂに発生する磁界よりも強くなる。
【手続補正１８】
【補正対象書類名】明細書
【補正対象項目名】００５０
【補正方法】変更
【補正の内容】
【００５０】
したがって、Ｆ４の位置を起点にして、Ｆ４→Ｆ８→ＦＣ（クローズ）→Ｃ（クローズ）と動かして行ったとき、１相通電による停止位置である（１）Ｆ４位置と（３）ＦＣ位置では、図５に示した従来の光量調節装置と同じ位置にアーム３が停止するが、２相通電による停止位置である（２）Ｆ８位置と（４）Ｃ位置では、Ａ相とＢ相の各ステータに発生する磁界の強度バランス（強度関係）に応じてアーム３の停止位置がＦＣ側にずれることになる。
【手続補正１９】
【補正対象書類名】明細書
【補正対象項目名】００５３
【補正方法】変更
【補正の内容】
【００５３】
また、本実施形態では、複数相である２相のコイルでマグネットロータを駆動する場合について説明したが、３相以上のコイルでマグネットロータを駆動してもよく、この場合、少なくとも１つの相のコイルに可変抵抗を接続すればよい。
【手続補正２０】
【補正対象書類名】明細書
【補正対象項目名】００５６
【補正方法】変更
【補正の内容】
【００５６】
また、本願第３の発明によれば、抵抗値調節によってステップモータの各相に発生する磁界の強さ関係を変化させることができるため、マグネットロータの回転停止位置、つまりは遮光部材の停止位置を簡単に調節でき、各部品に誤差要因が含まれていても良好なＦナンバー精度（特に、小絞り時のＦナンバー精度）を得ることができる。
【手続補正２１】
【補正対象書類名】図面
【補正対象項目名】図１
【補正方法】変更
【補正の内容】
【図１】
2002139766.tif 000001
【手続補正２２】
【補正対象書類名】図面
【補正対象項目名】図３
【補正方法】変更
【補正の内容】
【図３】
2002139766.tif 000002
【手続補正２３】
【補正対象書類名】図面
【補正対象項目名】図５
【補正方法】変更
【補正の内容】
【図５】
2002139766.tif 000003